(57)【要約】【構成】  ガラス張り室内におけるブラインドの操作装置である。ブラインドローラおよびブラインドの第２端部に引っ張り作用を与える装置によって第１端部をブラインドローラに固定する。【選択図】図１２
2007518899.tif 000002
【特許請求の範囲】
【請求項１】
チャンネル状棒部材（２０、３０、３５、２４１、２４２）と、一端がブラインドローラ（１１３）に固定された４つの隅部材（４０、５０、６０）とからなる枠体（１５、１６）によって取り囲まれた窓ガラス（５、１３５、１５０、２３０、２４０）を配設したガラス張り室内部でプレインブラインド（１１２）を操作する装置において、
ブラインドローラ（１１３）の装置（９５、１３８、１５３、２６０）による引っ張り作用およびその他端（１１１）に作用する引っ張り装置（９５、１２０、１３３、１７３）による引っ張り作用をブラインド（１１２）に作用させることを特徴とするブラインド操作装置。
【請求項２】
ブラインドローラ（１１３）に近接した状態で、ガラス張り室（５、１３５、１５０、２３０）を取り囲む枠体（１５）の一つの隅部材（６０）の矩形体（６５）内部に、第１ピニオン（７８）および第２ピニオン（８０）が第３の中間アイドルピニオン（７９）と係合する一対の同一平面にあるピニオンからなる運動機構を配設し、これら三つのピニオンについては、矩形体（６５）の２つの平行でかつ対向する壁間の空間内部において整列配置するとともに、矩形体（６５）の２つの壁において対向する孔（７０、７１）内で自由に回動するカラー（８４）によって両面が取り囲まれた軸方向孔（８１〜８３）を有し、一対の第１ピニオン（７８）および第２ピニオン（８０）の軸方向孔（８１、８３）に、ブラインドローラ（１１３）に作用する引っ張り装置（９５、１３８、１５３）それぞれの孔（１０５、１３９、１６５）の形状に対応する形状の端子ピンを挿入した請求項１記載のブラインド操作装置。
【請求項３】
ブラインド（１１２）の第２端部（１１１）に作用する一つの引っ張り装置が、垂下するブラインド（１１２）の第２端部（１１１）に接合された重量のある棒部材（１２０）である請求項１記載のブラインド操作装置。
【請求項４】
ブラインドローラ（１１３）に作用する一つの引っ張り装置が、ローラ（１５７）周囲に巻き回されたコイルばね（１５４）を有する装置（１５３）であって、このばね（１５４）の両端のうちの一端（１５５）を固定支持体（１６７）に接続するとともに、ガラス張り室（５、１３５、１５０、２３０）周囲の枠体の隅部材（６０）内の運動機構の第１ピニオン（７８）の孔（８１）の形状に対応する形状の端子ピン（１６５）に他端（１５６）を接続し、この端子ピン（１６５）を第１ピニオン（７８）の孔（８１）内に嵌合した請求項１又は２記載のブラインド操作装置。
【請求項５】
ブラインド（１１２）の第２端部（１１１）に作用する一つの引っ張り装置（１７３）が、ブラインドの第２端部（１１１）の固定された棒部材（１２０）の中心にフックされたコード（１８０）を巻き回すコードローラ（１９８）の第１端部に固定された棒部材（２１７）を有し、このコードローラ（１９８）が軸方向に並進して、ガラス張り室（１５０）を取り囲む枠体（１５）に固定された、ねじが刻まれた棒部材（２２４）に螺入するコードローラ（１９８）の第２端部に固定された、ねじが刻まれたブッシュ（２２５）が発生する圧力の下コード（１８０）を巻きまわし（２０２）、このローラ（１９８）を引っ張り装置（９５、１３８）によって操作する請求項１記載のブラインド操作装置。
【請求項６】
ブラインドローラ（１１３）作用するとともにコードローラ（１９８）に作用する引っ張り装置が、一対のピニオンおよびウォームねじ（１０３、１００）によって、ガラス張り室（５、１５０）の窓ガラス（６）の内面に実質的に一致する磁気ディスク（９８）の短いシャフト（９９）に９０°の角度で接続された短い長手方向シャフト（１０４）からなる運動機構（９５）であって、外部操作手段の第２磁気ディスク（１２）によって磁気ディスク（９８）を回動させ、そして第１磁気ディスク（９８）の位置において、第２磁気ディスク（１２）がガラス張り室（５、１５０）の内側ガラス窓（６）の外面に一致する請求項１、２および５のいずれか１項記載のブラインド操作装置。
【請求項７】
上記外部操作手段が、ギアリングアップ装置に固定されたプーリに適用した、手動連続コードである請求項６記載のブラインド操作装置。
【請求項８】
上記外部操作手段が、電気モータである請求項６記載のブラインド操作装置。
【請求項９】
ブラインドローラ（１１３）に作用するとともにコードローラ（１９８）に作用する引っ張り祖装置が、主電源に接続され、シールされた通路でガラス張り室（５、１３５、１５０、２３０）に接続された電線を介して給電されかつ制御される電気モータである請求項１、２および５のいずれか１項記載のブラインド操作装置。
【発明の詳細な説明】
【技術分野】
【０００１】
本発明は、ガラス張り室内におけるプレインブラインド操作方法に関する。
【背景技術】
【０００２】
ガラス張り室の内部に掛けたブラインドの場合、外部から操作する必要があるが、これは、室内の気密性を損なわないように行う必要があるため、面倒な作業である。このための装置は一般に複雑でコストがかかる。
【０００３】
プレインブラインドの場合、重力が決定的なファクターになるため、ブラインドが上下動するガラス張り室の場合、これ以外の方法でブラインドを設置する場合に必要な以上に、操作装置は一般に簡単でなければならない。
【発明の開示】
【発明が解決しようとする課題】
【０００４】
本発明によれば、以下に詳しく説明するように、構成が非常に簡単な手段および構造を利用してコストもきわめて低くかつ利便性のはるかに高い方法で、プレインブラインドが室内でどの方向にあってもこのブラインドを操作できるようになる。
【課題を解決するための手段】
【０００５】
本発明は、枠体が４つの隅部材で接合したチャンネル状棒部材からなるガラス張り空間内部で、一端のブラインドローラに固定したブラインドをスムーズに操作する装置において、一方がローラに、従ってブラインドの第１端部に作用し、もう一方がブラインドの自由端部に作用する２つの引っ張り装置を使用したブラインド操作装置を提供するものである。
【０００６】
ブラインドローラに近接した枠対の矩形隅部材が、中心がアイドル状態にある、一組の同一平面にあるギアからなる運動機構を有する。
【０００７】
これら三つのピニオンについては、隅部材の矩形体の２つの平行でかつ対向する壁間の空間内部において整列配置するとともに、これら２つの壁内において対向する孔（７０、７１）内で自由に回動するカラーによって両面が取り囲まれた軸方向孔を有する。
【０００８】
端子ピンを第１ピニオンおよび第２ピニオンの孔に挿入し、各引っ張り装置がブラインドローラに作用するように、これらのピンを上記孔の形状に対応して構成する。
【０００９】
ブラインドを垂下させる一つの実施態様では、ブラインドの第２端部を引っ張る引っ張り装置として、この第２端部に固定した重量のある棒部材を使用する。
【００１０】
一つの実施態様では、ブラインドローラを引っ張る引っ張り装置としてローラ周囲に巻き回されたコイルばねを有する装置を使用する。このばねの一端を固定支持体に接続するとともに、ガラス張り室周囲の枠体の隅部材内の運動機構の第１ピニオンの孔の形状に対応する形状の端子ピンに他端を接続し、この端子ピンを第１ピニオンの孔内に嵌合する。
【００１１】
ブラインドの第２端部に作用する引っ張り手段は、ブラインドの第２端部の固定された棒部材の中心にフックされたコードを巻き回すコードのローラ（コードローラ）の第１端部に固定された棒部材を有し、このコードローラが軸方向に並進して、引っ張り装置が働くコードローラの第２端部に対応する位置において、ガラス張り室の枠体に固定された、ねじが刻まれた棒部材に螺入するコードローラの第２端部に固定された、ねじが刻まれたブッシュから発生する圧力の下コードを巻き回す。
【００１２】
別な実施態様では、ブラインドローラまたはコードローラに作用する引っ張り装置が、一対のピニオンおよびウォームねじによって、ガラス張り室の内面に実質的に一致する磁気ディスクの短いシャフトに９０°の角度で接合された短い長手方向シャフトからなる運動機構であって、この磁気ディスクによって外部作動手段の一部を構成する第２磁気ディスクを回動させ、そしてガラス張り室内部においてガラスの外面を介して第１磁気ディスクに一致させる。
該外部作動手段は、ギアリングアップ装置に固定されたプーリに合うように作られた手動連続コード又は電気モータから構成されることもできる。
【００１３】
また、別な実施態様では、ブラインドローラまたはコードローラに引っ張り作用を与える手段として、主電源に接続され、シールされた通路でガラス張り室の枠体に連絡する電線を介して給電され、かつ制御される電気モータを使用する。
【発明の効果】
【００１４】
本発明は、明らかな利点を有する。一端がローラに固定された、ブラインドの両端に作用する引っ張り装置を用いて、窓ガラスを介してガラス張り室内の磁気装置を作動する外部磁気手段か、あるいは電気モータによってブラインドは巻き上げるか、あるいは降ろすことができる。
【００１５】
ブラインドがどの方向にあっても、それに合う最適な装置を選択できるため、手動操作または電機モータ操作を選択できる。
【００１６】
本発明において考えられる実施態様のいずれの場合でも、ブラインドの空間位置に従って、重力、外部の磁気装置によって運動状態に保持された内部磁気装置や電気モータなどの最も経済的で有効な引っ張り手段を利用して、最大限簡単に、しかも最大限の安全性をもってブラインドを巻き上げることができ、あるいは降ろすことができる。
【発明を実施するための最良の形態】
【００１７】
上記の本発明によれば、ガラス張り室内において、経済的でしかも安全に、かつきわめて簡単な方法でブラインドをスムーズに巻き上げ、降ろすことができる。
以下、添付図面に従って本発明の実施態様を説明するが、これから本発明の特徴、目的および作用効果を理解できるはずである。
【００１８】
窓ガラス張り室５（図１〜図６）は、窓ガラス６、７および枠体１５で構成する。
【００１９】
枠体１５は、その上部にチャンネル形枠部材２０を横断して設け、下部３０に同様な枠部材を設けるとともに、側部３５に二つの同様な枠部材を設け、すべての枠部材を上部左側隅部の場合には隅部材４０で、そして上部右側の場合には隅部材６０で、そして下部隅部の場合には同様な隅部材５０で接合する。
【００２０】
枠体を組み立てるさいには、棒部材２０、３０、３５の端部に隅部材４０、５０、６０の突出部４２（図２）を押し込むことによって組み立てる。枠体上部内に、断面を正方Ｕ字形に構成するとともに、内側に向いた、フック状の端部１０８（図２）をもつ固定ボックス体１０６を配設する。上部のチャンネル形棒部材２０が、外部リブ２４および外側に向いたフック状端部２５をもつため、ボックス体１０６のフック１０８を上部棒部材２０のフック２５に係合することによってこの上部棒部材２０に組み付けることができる（図２）。
【００２１】
上左側の隅部材４０は、矩形の隅部材４８である。また、上右側の隅部材６０は、矩形の隅部材６５および対向する内壁の孔７２を介してねじを刻んだ孔７４にねじ込むねじによって固定された対向内壁６７（図２、４）で構成する。
【００２２】
この内壁は、対称軸がそれぞれ８７〜８９であるピニオン７８〜８０を収容する空間６６をカバーし、この内壁を介して、孔８１〜８３の両側を８４などのカラーで取り囲む。なお、これらカラーは、対向内壁６７の部分６５および７１に形成した対向孔７０において自由に回動する。
【００２３】
ブラインド１１２の上部１１０において、ある一定の内部空間１１４が与えられている円筒形ローラ１１３（図３）の周囲にブラインド１１２を巻きつける。ローラの内部形状に対応するように構成１１９され、かつそれぞれ対応する形状のピン１１６および１１８を有する上記ローラの両端にプラグ１１５および１１７を挿入する。
【００２４】
磁気装置９５（図１、２、５）は、装置本体９６、前部フランジ９７、およびシャフト９９がピニオン７８（図４）の孔８１の形状に対応するように構成されたピン１０５と一体的なシャフト１０４の歯１０３とかみ合うウォームねじ１００を有する磁気ディスク９８で構成する。
【００２５】
隅部材６０の対向内壁６７の孔７１のうちの一つを介してピニオン７８の孔８１に上記のように構成したピン１０５を挿入することによって、磁気装置９５が発生する運動を中心アイドルピニオン７９によってピニオン８０に伝達する。ブラインド１１２を支持するローラ１１３（図３）と一体的に構成したピン１１８が、ピニオン８０の孔８３に嵌合する。
【００２６】
内側縁部が上部リブ１２５および下部リブ１２８になる下部の可動中空棒部材１２０（図３）にブラインド１１２の対向端部１１１を固定する。
【００２７】
従って、突出部１３１をもつプラグ１３０を中空棒部材１２０の両端内部に嵌合することができる。
【００２８】
電気モータか、あるいは手動連続コードを取り付けた運動機構によって回転する磁気ディスク１２（図６）を用いた制御装置によってブラインドを外部から操作する。
【００２９】
窓ガラス６を介して、操作装置９５の磁気ディスク９８に磁気ディスク１２を対向配置することによって、ブラインドの下部端部に取り付けた可動中空棒部材１２０の重量が発生する重力を利用して、ブラインドを巻き上げ、かつ降ろすことができる。
【００３０】
枠体３５の側部チャンネル状棒部材はカバーストリップ３７をもつ。
【００３１】
図７に、上部固定ボックス１３６の内部に設け、枠体を介して電流源に接続した電気モータによって磁気ディスク作動装置９５を置き換えたガラス張り室５の第１の変形例を示す。モータ１３８のシャフトの端部１３９は、作動装置９５のシャフトに固定したピン１０５と形状および大きさが実質的に同じである。
【００３２】
従って、ピニオン７８（図４）に形成した孔８１内にシャフト端部１３９を差し込むと、通常の操作方法に従って、ブラインドを電気モータ１３８によって巻き上げることができ、あるいは降ろすことができる。
【００３３】
図８〜１１に、固定ボックス１３６内に、ローラ１５７にコイルばね１５４を巻き付けた張力作用手段１５３を配設したガラス張り室（図９、１０）の第２変形例を示す。ローラに係合する管状突出部１５９をもつ固定環状ヘッド部材１５８および固定ボックス１３６内に取り付けた支持体１６７のシート部１６８内に係合する対向端部のピン１６１によってローラ１５７の一端を支持する。
【００３４】
この固定ヘッド部材１５８に、ばね１５４の一端１５５を保持する第１ノッチを切り込む（図１０）。同様に、ローラ１５７の他端については、管状突出部１６４がローラ１５７内部で自由に回動し、カラー１６３が、同様にボックス１３６内部に取り付けられた支持体１７０の円形孔１７１内で自由に回動する環状ヘッド部材１６２によって支持する。
該ヘッド部材１６２は、バネ１５４の他の一端１５６を保持する第２ノッチ１６６を切り込む。
【００３５】
ピン１６５の一端をヘッド部材１６２内に挿入するとともに、隅部材６０内に取り付けられたピニオン７８の孔８１内に他端を嵌合する（図４）。
【００３６】
ブラインド１１２を降ろす場合には、ブラインドを周囲に巻き付けたローラ１１３のピン１１８が、３つのピニオン７８〜８０（図４）が発生する運動機構によって、小さなピン１６５の回転を決定し、従ってばね１５４の巻上げを決定する。
【００３７】
ブラインドを降ろす装置１７３（図１１）の作動は次の通りである。
下部中空可動棒部材１２０内部に取り付けられるＵ字形支持体１７５を、この棒部材１２０内のリブに係合する溝１７７をそれぞれの側に設けて構成する。即ち、溝は二つである。
【００３８】
この支持体１７５に、コード１８０を固定する。このコード１８０は、二つの端子プラグ１８９および１９４をもつ固定ボックス１８４のスロット１８５（図９）を介してアーチ形の支持体２０８内部を通って、ローラ１９８の周囲に巻き回す。
【００３９】
このアーチ状支持体２０８は、それぞれ固定ボックス１８４の壁部、リブ１８６および底部に嵌合するその側部２１１および上部２０９が固定ボックス１８４（図９、１１）内部に安定して支持される。
【００４０】
この支持体２０８のアーチ状部分２１０を介して装置９５によって回転するローラ１９８（図１１）が自由に回転し、これにコード１８０が符号２０２で示すように巻きつく。
【００４１】
コードの巻き付きが可能になる理由は、リブ２１６の存在によってローラ１９８の一端２００に固定されたブッシュ２１５を介して、固定ボックス１８４における孔１８７の位置に対応する位置に磁気ディスク９８を配置した、固定ボックス１８４内の磁気作動装置９５の短いシャフト１０４の端部に固定した小さなピン２１７を受け取るように軸方向孔を構成しているためである。
【００４２】
ローラ１９８の他端２０１において、リブ２２１が、ねじが刻まれたロッド２２３を嵌合するねじが刻まれた孔２２５を軸方向に構成するブッシュ２２０を固定する。
【００４３】
フランジ１９０によって固定ボックス１８４の一端に嵌合するプラグ１８９の支持体１９１内部にロッド２２３のヘッド２２４を固定する。このロッド２２３を安定に保持するヘッド２２４の横方向孔２２７にピン１９３を挿入するための孔１９２を支持体１９１に挿入する。
【００４４】
作動装置９５が回動し、ディスク９８に作用すると、ねじが刻まれたロッド２２３にねじ込まれたブッシュ２２０によってローラ１９８が回転並進するため、コード１８０がこれに巻き付く。
【００４５】
このコード１８０が発生する引っ張り作用によってブラインド１１２が巻き出され、ばね１５４がばね装置１５３に巻き付く。また、作動装置９５が逆方向に回動すると、ばね１５４が発生する引っ張り作用によって、ブラインド１１２がそのローラ１１３に巻き付き、コード１８０をローラ１９８から巻き出す。
【００４６】
図１２にガラス張り室の第３変形例を示す。この例では、磁気ディスクを備えた作動装置９５の代わりに、ブラケット２３４によって支持した電気モータ１３８を下部固定ボックス１８４に配置する。
この電気モータ１３８の短いシャフト２３６の軸方向シート部にロッド２１７が嵌合する。
【００４７】
図１３に、ガラス張り室の第４変形例を示す。この例の場合、上記の隅部材５０によって水平棒部材に接合した２つの垂直チャンネル状棒部材２４２、２４３で枠体２４１を構成する。
【００４８】
一端において、ブラインド１１２のローラが、中空棒部材２４２に固定した支持体２５０上で自由に回動する。他端では、磁気装置２６０のシャフトにローラを固定する。この装置は、装置９５とほぼ同様な特性をもつ（図９）。
装置２６０については、横方向チャンネル状棒部材２４３それ自体によって支持された位置２６６に配置する。
【図面の簡単な説明】
【００４９】
【図１】４つのチャンネル状棒部材および４つの隅部材からなる枠体で構成したガラス張り室を示す図である。小径のローラに巻き付けたブラインドを磁気的に室内から操作するが、その制御は室外から行う。このローラについては、上部に固定したボックス内に配置し、ブラインドの巻き出しは、それぞれブラインドの下端に取り付けられた可動棒部材が発生する重力によって行う。
【図２】枠体の展開斜視図である。
【図３】ブラインドの細部を示す、展開斜視図である。
【図４】上右側の隅部材を示す展開斜視図である。
【図５】内部磁気作動装置を示す展開斜視図である。
【図６】外部磁気制御装置の磁気ディスクを示す図である。
【図７】内部磁気装置の代わりに電気モータを配置したガラス張り室の変形例を示す展開斜視図である。
【図８】ブラインドの巻き取りをコイルばねによって行い、巻き出しを下部に設けた内部磁気装置によって行うガラス張り室の第２変形例を示す図である。
【図９】図８のガラス張り室を示す展開斜視図である。
【図１０】巻き取り装置の細部を示す展開斜視図である。
【図１１】巻き出し装置の細部を示す展開斜視図である。
【図１２】内部磁気装置の代わりに電気モータを配置したガラス張り室の第３変形例を示す展開斜視図である。
【図１３】ブラインドが巻き取られたローラに接続された状態にある、ガラス張り室の第４変形例を示す正面図である。
【符号の説明】
【００５０】
１１２：ブラインド、
５、１３５、１５０、２３０、２４０：ガラス窓、
１５、１６：枠体、
２０、３０、３５、２４１、２４２：チャンネル状棒部材、
６５：矩形体、
６０：隅部材、
９５、１２０、１３３、１７３：引っ張り装置、
９８：磁気ディスク、
１１３：ブラインドローラ、
１５４：コイルばね、
１６７：固定支持体、
１９８：コードローラ
【図１】
2007518899.tif 000003
【図２】
2007518899.tif 000004
【図３】
2007518899.tif 000005
【図４】
2007518899.tif 000006
【図５】
2007518899.tif 000007
【図６】
2007518899.tif 000008
【図７】
2007518899.tif 000009
【図８】
2007518899.tif 000010
【図９】
2007518899.tif 000011
【図１０】
2007518899.tif 000012
【図１１】
2007518899.tif 000013
【図１２】
2007518899.tif 000014
【図１３】
2007518899.tif 000015
【国際調査報告】
2007518899.tif 000016
2007518899.tif 000017
2007518899.tif 000018